(57)【特許請求の範囲】
【請求項１】
対向一対のガイドレール（７）および該ガイドレール（７）のそれぞれに案内されたシャッターカーテン（５）を構成するシャッター部材（６）を有したシャッター装置に備えられるシャッター用施錠装置において、
前記シャッター部材（６）に配設され、前記シャッター部材（６）の端縁に対して進出／後退する係合片（３９）と、
前記ガイドレール（７）側に配設され、前記係合片（３９）が前記シャッター部材（６）の端縁より進出した際に、前記係合片（３９）が係合される係合部（８）と、
前記係合片（３９）が前記係合部（８）と係合しており、前記係合片（３９）に後退方向への外力が加えられた際、前記係合片（３９）の後退を抑止するように、前記シャッター部材（６）の側に設けられた係止手段（６０）と、
前記係合片（３９）を取り付けたスライド部材（３５）と、を具備し、
前記スライド部材（３５）には、係合状態にある前記係合片（３９）に後退方向への外力が加えられた際、前記係合片（３９）に形成された支持部（４０）を、前記係止手段（６０）に近づけ、前記係合片（３９）が前記係止手段（６０）に係止されるように案内する案内縁（３８）が形成されていることを特徴とするシャッター用施錠装置。
【請求項２】
前記係止手段（６０）は、前記シャッター部材（６）に固定された固定基板（４４）の板面に突設された複数の係止爪であることを特徴とする請求項１に記載のシャッター用施錠装置。
【請求項３】
前記スライド部材（３５）は、断面略コ字状に形成され、その一対の側板（３６）には、前記案内縁（３８）が形成される貫通穴（３８ａ）が形成され、該貫通穴（３８ａ）には、前記係合片（３９）に突出形成された一対の前記支持部（４０）が係合されるとともに、前記係合部（８）と係合状態にある前記係合片（３９）に後退方向への外力が加えられた際、前記係合片（３９）の支持部（４０）が、前記係止手段（６０）に近づけるように前記案内縁（３８）の傾斜縁に沿って案内され、前記スライド部材（３５）が解錠方向に牽引される時には、前記係合片（３９）の支持部（４０）が、前記係止手段（６０）の側から離れるように前記案内縁（３８）の傾斜縁に沿って案内されることを特徴とする請求項１又は２に記載のシャッター用施錠装置。
【発明の詳細な説明】
【０００１】
【発明の属する技術分野】
本発明は、スラットなどのシャッター部材にて構成されるシャッターカーテンに備えられ、このシャッターカーテンの閉鎖時における施錠を行うシャッター用施錠装置に関するものである。
【０００２】
【従来の技術】
一般にシャッター装置に備えられる施錠装置は、シャッターカーテンを構成する上下方向に複数連結された略短冊形状のスラットの内の人が操作を行いやすい高さとなる適当な一枚のスラットに配設されている。
【０００３】
具体的には、同スラットの屋内側における幅方向略中間に位置する箇所に、シリンダ錠などの錠部が配設されている。同スラットの屋内側における幅方向両端寄りには、ラッチ装置が設けられていて、錠部とラッチ装置との間は、連結杆で接続されている。そして、錠部の操作により、同スラット両端よりラッチ装置の係合片を突出させる構造となっている。また、係合片は、ラッチ装置内に設けられた圧縮バネの付勢力によって、その突出状態が保持されている。
【０００４】
一方、シャッターカーテンの昇降を案内するガイドレール内において、施錠装置が設けられたスラットの閉鎖位置に当たる部位の垂直な底部には、ラッチ装置の係合片が係合するべき係合部が設けられている。
【０００５】
そして、錠部の操作で突出した係合片が係合部に係合し、これによりシャッターカーテンが施錠されるようになっている。
【０００６】
この施錠装置の施錠は、屋内側には錠部にかかるサムターンが配設され、屋外側には錠部にかかるキーの差し込み口が形成されており、屋内側からはサムターンによる回動操作、屋外側からはキーによる回動操作となっている。
【０００７】
【発明が解決しようとする課題】
しかしながら、上述した従来のシャッター用施錠装置では、スラットの両端からの係合片の突出が、圧縮バネの付勢力によりのみ保持される構成のため、シャッターカーテンを左右幅方向に揺動させた際、場合によってはその反動で係合片が係止部から外れるおそれがあった。
【０００８】
また、係合部は、ガイドレール内に設けられ、係合片に噛み合うように凹凸形状に形成されているが、この係合部は、ガイドレール内を移動するシャッターカーテンと干渉しないように、その形状の突出長さが小さく制限され、且つ係合片は、サムターンあるいはキーの回動操作の範囲によりスラットの両端からの突出長さが制限されているため、係合部と係合片との係合状態が不十分となって、確実な施錠状態が得られなくなるおそれがあった。
【０００９】
そこで本発明は、上記課題を解消するために、施錠状態をより確実なものとし、さらにシャッターカーテンの左右幅方向への揺動があっても、係合部分の係合（施錠）状態が外れることのないシャッター用施錠装置を提供することを目的としている。
【００１０】
【課題を解決するための手段】
上記目的を達成するため本発明によるシャッター用施錠装置は、対向一対のガイドレール７および該ガイドレール７のそれぞれに案内されたシャッターカーテン５を構成するシャッター部材６を有したシャッター装置に備えられるシャッター用施錠装置において、前記シャッター部材６に配設され、前記シャッター部材６の端縁に対して進出／後退する係合片３９と、前記ガイドレール７側に配設され、前記係合片３９が前記シャッター部材６の端縁より進出した際に、前記係合片３９が係合される係合部８と、前記係合片３９が前記係合部８と係合しており、前記係合片３９に後退方向への外力が加えられた際、前記係合片３９の後退を抑止するように、前記シャッター部材６の側に設けられた係止手段６０と、前記係合片３９を取り付けたスライド部材３５と、を具備し、前記スライド部材３５には、係合状態にある前記係合片３９に後退方向への外力が加えられた際、前記係合片３９に形成された支持部４０を、前記係止手段６０に近づけ、前記係合片３９が前記係止手段６０に係止されるように案内する案内縁３８が形成されていることを特徴としている。
【００１１】
また、本発明によるシャッター用施錠装置では、前記係止手段６０は、前記シャッター部材６に固定された固定基板４４の板面に突設された複数の係止爪とすることができる。  さらに、本発明によるシャッター用施錠装置では、前記スライド部材３５は、断面略コ字状に形成され、その一対の側板３６には、前記案内縁３８が形成される貫通穴３８ａが形成され、該貫通穴３８ａには、前記係合片３９に突出形成された一対の前記支持部４０が係合されるとともに、前記係合部８と係合状態にある前記係合片３９に後退方向への外力が加えられた際、前記係合片３９の支持部４０が、前記係止手段６０に近づけるように前記案内縁３８の傾斜縁に沿って案内され、前記スライド部材３５が解錠方向に牽引される時には、前記係合片３９の支持部４０が、前記係止手段６０の側から離れるように前記案内縁３８の傾斜縁に沿って案内される構成とすることができる。
【００１２】
【発明の実施の形態】
図１は本発明によるシャッター用施錠装置が備えられるシャッター装置の正面図、図２同シャッター用施錠装置の実施の形態を示す一部裁断正面図、図３は同シャッター用施錠装置の平断面図である。
【００１３】
はじめに、本発明のシャッター用施錠装置が備えられるシャッター装置１について説明する。
このシャッター装置１は、図１に示すように、建物の開口２等の上縁にシャッターケース３が水平に設けられ、このシャッターケース３内に回動自在に設けられている巻取軸４にシャッターカーテン５が連結されている。
【００１４】
このシャッターカーテン５は、左右に長尺な短冊状に形成されているシャッター部材としてのスラット６が上下に複数連結された構造とされている。
【００１５】
そして、シャッターケース３の下縁に接続される対向した左右一対のガイドレール７内に、これらスラット６の両端部６ａが挿入されて上下方向の移動を案内され、巻取軸４によってシャッターカーテン５が巻き上げ，巻き戻しが行われることで、このシャッターカーテン５の昇降、すなわち開閉が行われるようになっている。
【００１６】
また、図２に示すように、このシャッターカーテン５の両端縁部を支持し昇降を案内する各ガイドレール７，７の奥方に位置する垂直な内壁面である底面部７ａには、後述する施錠装置１０の係合片３９が係合する係合部８が設けられている。
【００１７】
この係合部８は、図２及び図３に示すように、矩形状の基板９の垂直な両側縁に、この基板９に対して突出するようにそれぞれ設けられており、連続した複数の櫛歯状に形成されている。
【００１８】
これら係合部８は、互いの間隔がガイドレール７の開口溝７ｂの開口幅よりやや幅広に形成されており、ガイドレール７の奥方の垂直な内壁面である底面部７ａに、各係合部８がガイドレール７の長手方向に沿うように、かつ各係合部８の位置が、図３に示すように、ガイドレール７の開口幅の延長線Ｌより外側となる位置に設定され、このガイドレール７の底面部７ａに固設されている。
【００１９】
なお、各係合部８の櫛歯形状は、後述する係合片３９の爪部４１における板厚より十分に長尺な形状とされ、また、この係合部８は、本実施の形態では、ガイドレール７の下縁から所定の高さ、すなわち、シャッターカーテン５の施錠装置１０が配設される位置に対応した位置（図１参照）に部分的に設けられる構成とされるが、このガイドレール７における長手方向に全通して設けられる構成としてもよい。
【００２０】
次に、上記のような構成のシャッター装置１に設けられる本発明のシャッター用施錠装置１０は、図１に示すように、上下方向に複数連結された各スラット６の、シャッターカーテン５閉鎖時における操作の行いやすい高さ位置に配設されている。
【００２１】
この施錠装置１０は、図１に示すようにスラット６の長手方向である左右幅方向に沿って配設され、シリンダ錠１１と、ラッチ部２０と、連結杆２９とで大略構成されている。
【００２２】
まず、シリンダ錠１１は、一端に鍵穴１２が形成され、他端にサムターン１３が設けられた短尺な略円筒状の錠とされている。
このシリンダ錠１１は、スラット６の長手方向である左右幅方向の略中間におけるスラット６の裏面（屋内側）６ｂに配設された矩形箱型のケース１４内の略中央に固設されている。そして、シリンダ錠１１の一端の鍵穴１２は、ケース１４を介してスラット６の屋外側となる外側面６ｃに表出され、他端のサムターン１３は、ケース１４を介して屋内側６ｂに表出されている。
【００２３】
また、ケース１４の内部には、図２に示すように、後述するラッチ部２０に連結され、このラッチ部２０を連動させる連動部１５が配設されている。
【００２４】
この連動部１５は、歯車１６と、ラック板１８とで構成されている。
歯車１６は、前記シリンダ錠１１と一体に設けられており、本実施の形態では、図４に示すように、歯１７Ａの形状が、先端が略四角形状に膨出形成されており、互いに等間隔となって、すなわち９０°間隔で四本の歯が設けられているとともに、各歯１７Ａの中間に位置して一対となる略楔形状の歯１７Ｂが設けられている。
【００２５】
また、ラック板１８は、歯車１６の上下に一対で構成されており、それぞれ略短冊矩形状に形成されている。各ラック板１８は、それぞれ対向する一方の縁部に、図３に示すように、略矩形状の凹部と台形状の凸部とを組み合わせたラック歯１９が長手方向に沿うように形成されている。
【００２６】
これらラック板１８は、歯車１６を挟むように歯車１６の歯１７Ａ、１７Ｂに対してラック歯１９を噛合させるとともに、ケース１４内においてスラット６の長手方向であって互いに相反する方向に摺動自在となるよう設けられている。
【００２７】
また、各ラック板１８は、クランク状に形成された屈曲部２１を介してケース１４の左右両側部から延出する先端部２７を有している。この先端部２７は略平板状に形成され、その先端には板面に穿設された略矩形状の係合孔３０が形成されている。
【００２８】
次に、ラッチ部２０は、スラット６の各端部６ａ側にそれぞれ設けられ、連結部材２２と、スライド部材３５と、係合片３９と、ガイド部４３と、ガイドスロープ５２とで略構成されている。
【００２９】
連結部材２２は、図５及び図６に示すように、一対の側板２３と一対の規制板２４，２５とで略矩形箱型の凹溝状に形成され、この凹溝内には、圧縮コイルバネよりなる付勢部材２６が嵌入されるようになっている。
【００３０】
また、規制板２４には、前記連動部１５のラック板１８に連結されるべき基端部２８が連続形成されている。この基端部２８は、断面略コ字状に形成され、その端部には板面に穿設された略矩形状の係合孔３１が形成されている。
【００３１】
次にスライド部材３５は、図３及び図５に示すように、スラット６の板面と垂直な一対の側板（板部）３６を有して、溝状に開口する断面略コ字状に形成されているとともに、基端に当接板３７が設けられている。また、各側板３６の先端側の各板面には、先端に向かって前記溝状の底側に斜行する略平行な一対の案内縁３８をなすように略平行四辺形の貫通穴３８ａが穿設されている。なお、案内縁３８は、スライド部材３５がスラット６に取り付けられた状態では、スラット６の端部６ａに向かってスラット６の板面から離れる方向に傾斜するように形成されていることとなる。さらに、各側板３６の先端側であって、各側板３６がなす溝状の開口する縁部分には、斜めに切り欠かれた先端縁３６ａが形成されている。
【００３２】
なお、貫通穴３８ａには、後述する係合片３９が取り付けられることとなっており、この係合片３９を取り付けるため、各側板３６がなす溝状の開口側につながるように挿通溝３８ｂが形成されている。
【００３３】
スライド部材３５は、基端の当接板３７が、連結部材２２の各規制板２４，２５間に位置するとともに、連結部材２２の各側板２３の外側にスライド部材３５の各側板３６が位置するように連結部材２２に連結される。
そして、連結部材２２に対して連結されたスライド部材３５は、側板２３に沿って摺動自在となるように取り付けられる。
【００３４】
また、図３に示すように、連結部材２２の基端側規制板２４内面とスライド部材３５の当接板３７外面との間となる空間には、圧縮コイルバネよりなる付勢部材２６が内蔵されるように装着される。つまり、スライド部材３５は、連結部材２２に対し、付勢部材２６の付勢力を以て規制板２５より延出するようにして連結されることとなる。
【００３５】
なお、付勢部材２６の付勢力は、連結部材２２に対してスライド部材３５を常に突出させる方向に働くように、連結部材２２の基端側規制板２４とスライド部材３５の当接板３７との間に圧縮された状態となって装着される。
【００３６】
次に係合片３９は、図３及び図５に示すように、略短冊板状に形成される部材で、その基端の両側縁には、略矩形状の支持部４０がそれぞれ耳状に突出形成されている。そして、支持部４０が設けられた基端側は、略ヘ字状に折曲形成されている。
【００３７】
また、この係合片３９の先端は、図５に示すように、櫛歯状に形成された爪部４１とされており、係合片３９の基端側に対して幅広に形成されるとともに、板面に対して略直角となるように略Ｌ字状に折曲形成されている。
なお、この爪部４１の幅広部分の両側縁は当接片４２とされている。また折曲部分の外側面は湾曲面状に形成されている。
【００３８】
そして、この係合片３９は、スライド部材３５の各側板３６に穿設されている貫通穴３８ａに対し、挿通溝３８ｂを介して各支持部４０が挿通されて取り付けられる。これにより係合片３９は、スライド部材３５に対して支持部４０を中心として先端側の爪部４１が揺動するとともに、貫通穴３８ａによる各案内縁３８の間で支持部４０を介して移動するようになっている。
【００３９】
なお、係合片３９は、図３で示す状態では、支持部４０の幅がスライド部材３５の貫通穴３８ａに設けられた挿通溝３８ｂの開口幅よりも長いために、スライド部材３５が離脱しないようになっている。
【００４０】
次に、ガイド部４３は、図５に示すように、固定基板４４と、ケース部４５とで構成されスラット６の端部６ａの屋内側となる裏面６ｂに配設されている。
【００４１】
固定基板４４は、略矩形平板状に形成され、スラット６の端部６ａにおける裏面６ｂに沿い、先端側の一側縁４４ａがスラット６の端縁６ｄと略一致して、スラット６と一体となるように固定される。また、固定基板４４の先端側の板面には、複数（この実施の形態では五個）の係止手段としての係止爪６０が突設されている。そして、固定基板４４の一側縁４４ａには、後述するガイドスロープ５２が配設されている。さらに、固定基板４４には、板面より突出する固定爪４６が複数設けられている。
【００４２】
ケース部４５は、一対の側壁板４７と蓋板部４８とで断面コ字状のレール状に形成されているとともに、各側壁板４７の開口側の両側縁には外方向に延出するフランジ部４９が形成されている。
【００４３】
各フランジ部４９には、前記固定基板４４の固定爪４６に対応する複数のスリット５０が形成されている。
また、ケース部４５の先端は、蓋板部４８が延出して形成されるとともに、両側壁板４７の先端縁が、図３及び図５に示すように、略楔状に切欠形成され、傾斜部５１とされている。
【００４４】
そして、ケース部４５の各フランジ部４９を固定基板４４に沿わせて、固定基板４４の固定爪４６をフランジ部４９のスリット５０に嵌入させ、これら固定爪４６を折曲させて互いを固定することによりガイド部４３は組み立てられ、これら固定基板４４とケース部４５とによって長手方向に貫通した断面矩形のパイプ状の中空部が形成される。
【００４５】
なお、固定基板４４とケース部４５とは、固定基板４４に対しケース部４５の長さがやや短く設定されており、図３に示すように、各々基端４４ｂ，４５ａが一致するように組み立てられて固定され、固定基板４４の一側縁４４ａである先端縁に対し、ケース部４５の傾斜部５１を有する先端がやや後退した位置となってスラット６の端部６ａに取り付けられる。
【００４６】
ガイド部４３の中空部分には、前述した連結部材２２及びスライド部材３５が付勢部材２６を取り付けた状態で摺動自在に挿入される。そして、図３に示すように、ガイド部４３の先端に、係合片３９の爪部４１が突出した状態となり、この爪部４１の当接片４２がケース部４５の傾斜部５１に当接し、爪部４１の先端がスラット６の裏板面６ｂに対して突出した状態となる。
【００４７】
次に、ガイドスロープ５２は、前記スラット６の端縁６ｄに略一致し、前記ガイド部４３における固定基板４４の先端縁４４ａに形成されている。
ガイドスロープ５２は、スラット６の中心側であるシリンダ錠１１側から、スラット６の端縁６ｄに向け、スラット６の板面（６ｂ）に対して仰角方向に突出した斜面を有するように前記先端縁４４ａが折曲形成されている。
【００４８】
そして、ガイドスロープ５２は、前記ガイド部４３のケース部４５先端に形成されている傾斜部５１と対向し、この傾斜部５１とガイドスロープ５２との間によって、図３に示すように、傾斜した溝状の案内手段としての案内路５３が形成される。
【００４９】
次に、連結杆２９は、図６に示すように、断面略Ｃ字状に形成された長尺な杆状に形成され、各端部２９ａに略コ字状、略Ｕ字状あるいは略Ｃ字状の溝からなる係合爪３４がそれぞれ形成されている。
【００５０】
そして、連結杆２９の一方の端部２９ａの係合爪３４を、ラック板１８の先端部２７の係合孔３０に対応させるとともに、該係合孔３０に挿入するように折曲させることにより、ラック板１８の先端部２７と連結杆２９とが連結される。また、連結杆２９の他方の端部２９ａの係合爪３４を、連結部材２２の基端部２８の係合孔３１に対応させるとともに、該係合孔３１に挿入するように折曲させることにより、連結部材２２の基端部２８と連結杆２９とが連結される（図２参照）。このように、連動部１５のラック板１８とラッチ部２０の連結部材２２とは、連結杆２９を介して連結され、連動部１５によりラッチ部２０を連動させることが可能となる。
【００５１】
なお、連動部１５のラック板１８とラッチ部２０の連結部材２２との連結においては、上記連結杆２９を設けず、連動部１５におけるラック板１８の先端部２７と、ラッチ部２０における連結部材２２の基端部２８とが一体に連なる杆部材をなす構成であってもよい。
【００５２】
次に、上述した施錠装置１０による施解錠の操作について説明する。
まず、シャッターカーテン５の開閉動作時においては、施錠装置１０は動作されず、係合片３９がガイド部４３をなすケース部４５内に収納されるようにして、係合片３９の爪部４１がケース部４５先端側の案内路５３内に入り込んでいる。すなわち、図３に示すように、各係合片３９がスラット６の両端部６ａより内方に後退した解錠状態となっており、ガイドレール７内におけるシャッターカーテン５の表裏面方向の移動軌跡上には突出せずに、シャッターカーテン５の昇降移動を妨げることはない。
【００５３】
なお、この解錠状態では、係合片３９の各当接片４２がガイド部４３の傾斜部５１に当接状態にあり、係合片３９の揺動が規制されている。また、本実施の形態では、図２及び図４に示すように、シリンダ錠１１の鍵穴１２が垂直となり、サムターン１３が水平状態となっている。
【００５４】
次に、シャッターカーテン５を降下させ閉鎖し、施錠を行う際には、シャッターカーテン５の屋外側からキーをシリンダ錠１１に差し込むか、あるいは屋内側からサムターン１３を摘んでシリンダ錠１１を、本実施の形態では図４に示すように時計回り方向に回転させる。
【００５５】
すると、このシリンダ錠１１に連結された連動部１５の歯車１６が回転し、この回転に伴って両ラック板１８が相反する外方向に同時に摺動を開始する。これにより、両連結杆２９を介して両連結部材２２が、それぞれスラット６の両端部６ａより延出する方向へ摺動を始める。
【００５６】
さらに、シリンダ錠１１の回転が進むと、連結部材２２の摺動に伴う付勢部材２６の付勢力に押されるように、スライド部材３５がガイド部４３内をスラット６の端部６ａに向かって摺動する。そして、図３の状態から、スライド部材３５に支持されて連結されている係合片３９の爪部４１における折曲部分が、ガイドスロープ５２に当接する。
【００５７】
これにより、係合片３９は、連結部材２２及びスライド部材３５の摺動に伴い、ガイドスロープ５２上を移動し、このガイドスロープ５２によって爪部４１がスラット６の板面（６ｂ）に対して離脱する方向に案内されてすなわち変向されて揺動しながら移動を始める。
【００５８】
この離脱移動により、爪部４１先端がスラット６の端縁６ｄよりスラットの長手方向に突出するとともに、図７（ａ）に示すように、この爪部４１先端がスラット６の厚さより突出し、ガイドレール７内におけるシャッターカーテン５の移動軌跡から突出する。
【００５９】
そして、爪部４１先端が、ガイドレール７内の奥方の底面部７ａに伸び出て、かつガイドレール７の開口幅長より突出して、ガイドレール７内の係合部８と係合する（図７（ｂ）参照）。
【００６０】
そして、さらにキー又はサムターン１３による回転が進むと、シリンダ錠１１に連動連結された連結部材２２が、ラック板１８を介してさらに進出方向に摺動し、これにより係合部８に係合されている係合片３９及びこの係合片３９に連結されるスライド部材３５に対して、さらに連結部材２２が進出方向に摺動することになる。そして、この連結部材２２の摺動距離長さ分、付勢部材２６が圧縮されることで、前記距離（長さ）が吸収される。すなわち、図７（ｂ）に示すように、連結部材２２の先端（２５）に対してスライド部材３５が後退し、付勢部材２６が、係合片３９を連結部材２２の先端（２５）側に対して常に突出させようとする付勢力を発生させて、係合部８と係合片３９との係合状態をさらに確実なものとするようになる。
【００６１】
なお、この付勢部材２６の圧縮される長さは、図９（ａ）に示すように、ガイドレール７の底面部７ａにスラット６の一方の端縁６ｄが当接するか、あるいは図９（ｂ）に示すように、スラット６の他方の端縁６ｄがガイドレール底面７ａより最大に離間した際、すなわち、スラット６が左右ガイドレール７，７間で一方のガイドレール７側に寄ってしまった状態であっても、両係合片３９が各係合部８に係合可能となるように設定されている。ゆえに、付勢部材２６の圧縮長さは、スラット６の両端部６ａが各ガイドレール７の底面７ａからそれぞれ等距離の中立状態において、上記のようにスラット６の他方の端縁６ｄがガイドレール底面７ａより最大に離間した距離の１／２の長さ程度に圧縮されるよう設定される。
【００６２】
そして、シリンダ錠１１が、解錠状態からキーなどにより、図８に示すように、１８０°回転されることで、施錠動作は終了となり、キーを用いた場合はキーを抜き、施錠状態となる。
【００６３】
この施錠状態において、図７（ｂ）に示すように、係合片３９の爪部４１が各ガイドレール７内の係合部８に係合状態となるとともに、この係合状態を維持しようとする付勢部材２６の付勢力が発生しているので、施錠状態は常に維持されている。
【００６４】
ここで、左右ガイドレール７，７間にてスラット６（シャッターカーテン５）を左右幅方向に揺動させた場合、スラット６の一方の端部６ａがガイドレール７から離れようとすると、他方の端部６ａはガイドレール７に近づこうとする。
【００６５】
このように、スラット６の他方の端部６ａがガイドレール７に近づこうとする際には、付勢部材２６の付勢力で係合片３９（爪部４１）と係合部８との係合状態が維持されたまま、スラット６の他方の端部６ａ側に配された係合片３９がガイドレール７の底面部７ａによってケース部４５側に後退しようとする外力が加えられることとなる。ところが、係合片３９の支持部４０がスライド部材３５の貫通穴３８ａがなす案内縁３８（図１０中下側）の傾斜に沿って、係止片３９の基端側が固定基板４４側に近づくように案内されることから、図１０に示すように、係合片３９の基端が固定基板４４に突設された係止爪６０に係止して係合片３９の後退が抑止される。これにより、係合片３９はこれ以上ケース部４５側に後退することがないので、スラット６の他方の端部６ａがガイドレール７に近づこうとする動作を抑止することとなる。
【００６６】
逆に、スラット６の一方の端部６ａがガイドレール７に近づこうとする際にも、付勢部材２６の付勢力で係合片３９（爪部４１）と係合部８との係合状態が維持されたまま、スラット６の一方の端部６ａ側に配された係合片３９におけるケース部４５側への後退が抑止され、スラット６の一方の端部６ａがガイドレール７に近づこうとする動作を抑止する。
【００６７】
ゆえに、左右ガイドレール７，７間にてスラット６（シャッターカーテン５）を左右幅方向に揺動させようとしても、スラット６の左右端部６ａ，６ａにおいてそれぞれ係合片３９，３９の後退が抑止されることから、スラット６そのものの左右への揺動を規制する。すなわち、スラット６を左右幅方向へ揺動させようとしてもできないこととなる。
【００６８】
また、係合片３９の基端が係止する係止爪６０は、固定基板４４の先端側において図９（ａ）あるいは図９（ｂ）で示すように、スラット６が左右ガイドレール７，７間で一方のガイドレール７側に寄ってしまった状態であっても、後退した係合片３９の基端が係るような範囲で複数形成されているので、スラット６がどのような状態であっても左右幅方向への揺動を規制することが可能である。
【００６９】
なお、この動作時において、連動部１５の歯車１６及びこの歯車１６と噛み合う各ラック板１８の各歯１７Ａ，１７Ｂ，１９の形状が、それぞれ略矩形状に形成されていることから、歯車１６の回転によって各ラック板１８を摺動させることは可能となるが、各ラック板１８の摺動によって歯車１６は回転しないようになっている。すなわち、シリンダ錠１１の回転を停止すると、各ラック板１８はその位置にて留まるようになっており、これによっても係合片３９と係合部８との係合状態である施錠状態は維持される。
【００７０】
また、この施錠時に、シャッターカーテン５が完全な閉鎖状態とされていない場合などに、スラット端部６ａより進出した各係合片３９の爪部４１が、ガイドレール７内の係合部８と上下方向に位置ズレを起こし、正確に係合されない状態となることが想定される。しかしながら、各係合片３９（スライド部材３５）と連結部材２２との間に付勢部材２６が介設されているので、連結部材２２及びスラット６の端部６ａに対して進出が不完全となってしまう係合片３９は、突出しようとする付勢力を有した状態で後退となり、他の各部の動作が中途で抑止されてしまうことはなく、この付勢部材２６により常に係合を行おうとする付勢力を有していることから、施錠操作後にシャッターカーテン５を上下に動かせば、各係合片３９の爪部４１が各係合部８に係合されることとなる。
【００７１】
次に、この施錠装置を解錠するには、シリンダ錠１１にキーを差し込み、若しくはサムターン１３を摘まみ、前記施錠時とは逆の方向に回転させる。
【００７２】
すると、このシリンダ錠１１に連結された歯車１６が回転し、図８の状態から、この回転によって両ラック板１８が互いに相反する内方向に摺動を始め、連結杆２９を介して連結部材２２がガイドレール７側に対して後退を始める。
【００７３】
このとき、連結部材２２とスライド部材３５との間に付勢部材２６の付勢力があることから、連結部材２２および連結杆２９は摺動にやや速度が加わって摺動し、ラック板１８を介して歯車１６及びシリンダ錠１１の回転を助勢する。
【００７４】
さらに、キー又はサムターン１３による回転が進むと、付勢部材２６は伸長し、連結部材２２の先端側の規制板２５とスライド部材３５の当接板３７とが当接して、これにより連結部材２２がスライド部材３５を牽引するように摺動を始める（図７（ａ）参照）。
【００７５】
この際、上述のようにスラット６の左右幅方向の揺動があって、係合片３９の基端が固定基板４４の係止爪６０に係止している場合には、図１１に示すように、係合片３９の支持部４０がスライド部材３５の貫通穴３８ａがなす案内縁３８（図１１中上側）の傾斜に沿って、係合片３９の基端側が固定基板４４側から離れるように案内されることから、係合片３９の基端が係止爪６０への係止から離されるので、連結部材２２によるスライド部材３５の牽引が妨げられることがない。
【００７６】
これにより、ガイドレール７の係合部８に係合している各係合片３９の爪部４１が後退を始め、係合部８から離脱して係合状態を解かれる。
【００７７】
後退が進むと、各係合片３９は、当接片４２がガイド部４３の傾斜部５１に当接することで、この傾斜部５１に沿い、後退動作に伴ってスラット６の厚さ方向に突出している爪部４１が、ガイドレール７内におけるシャッターカーテン５の移動軌跡から後退し、すなわちガイドレール７の開口幅長より退き、この爪部４１がスラット６の板面（裏面６ｂ）に近接する方向に案内されて揺動しながら移動を始める。
【００７８】
そして、さらにキー又はサムターン１３による回転が進むと、シリンダ錠１１に連結された杆部材２０が、ラック板１８を介してさらに後退し、係合片３９は係合部８からスラット６の端縁６ｄより内側へと後退し、解錠状態となる。
【００７９】
この状態で、シリンダ錠１１は、施錠状態から１８０°回転され、解錠動作が終了となり、係合片３９の各当接片４２がガイド部４３の傾斜部５１に当接状態となって、係合片３９の揺動が規制され、図３に示すように、爪部４１の先端がケース部４５の高さと略同一高さとなって、スラット６の厚さより突出せずにスラット６の両端部６ａの各係合片３９がこれら両端部６ａより後退した状態となり、キーを用いた場合はキーを抜き去り、解錠となる。
【００８０】
従って、このように構成された施錠装置１０では、ガイドレール７内の係合部８と係合するためにスラット６の左右端部６ａ，６ａから突出される係合片３９が、スラット６を左右幅方向に揺動した際、その外力によって突出状態が後退しないように係止する係止爪６０を設けたことにより、スラット６の揺動を規制してスラット６の左右幅方向のガタをなくすこととなるので、係合部８と係合片３９との係合状態を外すことなく確実に維持することができる。
【００８１】
また、ガイドレール７内において、係合部８と係合する係合片３９が、ガイドスロープ５２によって、スラット６の長手方向の延長線上より偏心した方向となるガイドレール７の開口幅より外側で、スラット６の厚さ方向に変向して突出させる構成としたので、係合部８と確実に係合することとなり、その係合状態を、互いに十分に噛み合う構成とすることが可能となるので、施錠状態が確実なものとなる。
【００８２】
さらに、係合片３９が、ガイドレール７の開口幅より外側で、スラット６の厚さ方向に突出することで施錠状態となることから、係合片３９を係合部８に係合させるために、この係合片３９を突出付勢する付勢部材２６の付勢力を、大きく設定することがなく、これによりシリンダ錠１１における施錠及び解錠のための回転操作に力を要せず、この錠１１の操作を容易に行うことが可能となり、操作性が向上することとなる。
【００８３】
また、ガイドレール７内における係合片３９と係合する係合部８が、開口溝７ｂの開口幅の外側に位置させた構成とし、このガイドレール７内を昇降移動するシャッターカーテン５の移動軌跡上に突出せず干渉しない外側に位置する構成とされていることから、スラット６の端部６ａと係合部８とが衝突などの不具合が生じることがない。
【００８４】
また、ガイドレール７内の係合部８の突出長さ若しくは係合深さを十分に大きく形成させることができることから、施錠時における係合片３９との係合状態が確実に噛み合うような構造とすることが可能となり、また、この互いの係合状態が容易に解かれることがなく維持されることとなる。
【００８５】
なお、上述した実施の形態で説明したシャッター用施錠装置における各構成に関し、その他実施し得る構成について以下に説明する。
【００８６】
係合片３９のスライド部材３５への取付状態は、耳状の支持部４０にて揺動自在に取り付けた例であるが、この支持部４０の形状を棒軸状に形成し構成させることとしてもよい。この場合、係合片３９の揺動がスムーズとなる。
【００８７】
また、連結部材２２とスライド部材３５との間に圧縮コイルバネよりなる付勢部材２６を介設しているが、この連結部材２２に対する延出する付勢力を要しない場合では、この付勢部材２６の構成がない構造としてもよい。
【００８８】
また、係合部８は、板状の部材より片状に形成され、ガイドレール７内の開口溝７ｂの奥方となる底面部７ａに設けられているが、この係合部８は、係合片３９が係合し得る位置であれば、底面部７ａに限らず、例えばガイドレール７内の側面板など、いずれの位置に構成させてもよい。また、ガイドレール７の形状を、図１２に示すように、底面部７ａにおいて、この底面部７ａが畦状にガイドレール７内方に突出する構造として、このガイドレール７と係合部８とを一体に形成する構造としてもよい。
【００８９】
また、図３に示す係合部８及び、図１２に示すガイドレール７と一体の係合部８の構成を、それぞれ、対となる構成で説明したが、これら係合部８は、いずれか一方で構成されればよく、すなわち、係合片３９の突出する側に設けられる構成とすればよい。
なお、この係合部８がガイドレール７内にて一対の構成である上述した実施の形態の構成の場合は、このガイドレール７に対するシャッターカーテン５の組付けに表裏の区別を要せず、施工作業の簡略化を図ることが可能となる。
【００９０】
また、係合部８は、櫛歯状に形成されているとしているが、係合片３９がガイドスロープ５２によって変向されることから、この変向によって係合片３９の爪部４１が貫挿されるように係合部８に穴部を設けてもよい。なお、係合部８に穴部を設け、この穴部に係合片３９の爪部４１が貫挿される構成に限らず、係合片３９側に穴部を設け、係合部８側が係合片３９の穴部に貫挿される構成であってもよい。
【００９１】
また、係合部８は、ガイドレール７内に限らず、例えば、ガイドレール７内の開口溝７ｂの奥方となる底面部７ａにおいて、スラット６の端部６ａから突出する係合片３９がガイドレール７の奥方に貫挿し得る開口穴を設け、この開口の縁部に対して、該爪部４１が係合し得るようにガイドレール７の外側（奥側）に突出された係合部８を設けるようにしてもよい。この構成によれば、ガイドレール７内に係合部８が無くなることからシャッターカーテン５の昇降を妨げることがない。また、係合部８と係合片３９との係合位置がガイドレール７の底面部７ａを介したガイドレール７の外側（奥側）となるとともに、上述したように係合片３９の突出向きがガイドスロープ５２によって変向されることから、係合状態を容易に外すことなく確実に維持することができる。なお、ガイドレール７の底面部７ａに開口穴を設けるだけの構成であっても、係合片３９が開口穴を介して係合し得るので係合状態を維持することが可能となる。また、上記開口穴を設ける構成は、ガイドレール７の側板であっても同様の効果を奏する。
【００９２】
また、係合片３９は、その先端の爪部４１が図３に示す如くスラット６の裏面６ｂ側（屋内側）に折曲されるとともに、スライド部材３５に対して揺動するように設けてスラット６の裏面６ｂ側（屋内側）に突出するように構成されているが、この限りでなく、爪部４１をスラット６の表面側（屋外側）折曲して揺動するように設け、スラット６の表面側（屋外側）に突出するように構成してもよい。さらに、爪部４１をスラット６の上側（あるいは下側）に折曲して揺動するように設け、スラット６の上側（あるいは下側）に突出するように構成してもよい。
この場合、係合部８は、少なくとも爪部４１が突出する側に対応して配置されていればよい。
なお、係合片３９が係合部８に係合する部分は、先端の爪部４１に限らず、任意の箇所であってもよい。
【００９３】
また、爪部４１を変向して突出させるガイドスロープ５２及び爪部４１を後退させる傾斜部５１からなる案内路５３は、係合片３９の爪部４１を突出させるとともに、係合片３９の爪部４１を後退させるように案内する構成であれば、例えば係合片３９側、スラット６側（端縁６ｄ側に限らず）、係合部８を含むガイドレール７側等、何れに設けられていてもよい。
【００９４】
そして、案内路５３は、必ずしもガイドスロープ５２及び傾斜部５１からなる構成でなくてもよく、例えば係合片３９が自らの自重で変向して突出したり、あるいは自らの自重で後退するように構成されていれば、ガイドスロープ５２あるいは傾斜部５１の何れかを要しなくてもよい。さらに、案内路５３を要せず、例えば係合片３９を板バネ、コイルバネ、あるいはコロ、カム等で、上述の如く突出／後退し得るように案内する案内手段を構成してもよい。
【００９５】
また、スライド部材３５は、スラット６の板面と垂直な一対の側板３６を有しているが、この各側板３６は、スラット６の板面と垂直でなくてもよく、断面略コ字状の開口を広げるように、あるいは狭めるように、スラット６の板面に対して傾斜して形成されていてもよい。さらに、各側板３６が曲率に傾斜していたり、スライド部材３５自体の形状が、例えば断面略Ｃ字状などのように、溝状の底板が湾曲形成されている構成であってもよい。
【００９６】
また、スライド部材３５は、スラット６の板面と垂直な一対の側板３６を有して、溝状に開口する断面略コ字状に形成されていると説明したが、この限りではなく、図１３に示すようにスライド部材３５自体をスラット６の板面と略垂直な板部３６として構成してもよい。
【００９７】
この場合、板部３６の先端において、その板面には、上述した一対の案内縁３８をなす略平行四辺形の貫通穴３８ａおよび挿通溝３８ｂが形成される。そして、貫通穴３８ａに支持される係合片３９の支持部４０は、係合片３９の基端側の略中央に穿設されたスリット穴４０ａによって係合片３９の基端に形成され、この支持部４０が挿通溝３８ａを介して各案内縁３８の間に配される。さらに、固定基板４４の係止爪６０は、板部３６が掛からないように、通路６１をおいて並列して形成される。また、上述した実施の形態における支持部４０は、並列する各係止爪６０に確実に係るような構成であれば任意であるが、耳状片として設けておくことが好ましい。
【００９８】
そして、板部３６の基端においては、板部３６と共に略Ｔ字状をなすように当接板３７が設けられている。そして、この当接板３７と当接する規制板２５には、板部３６が遊挿される逃げ溝２５ａが形成される。
【００９９】
また、上記板部３６は、係合片３９を少なくともスラット６の端縁６ｄから進出／後退させる構成であれば、スラット６の板面と略垂直でなくてもよい。
【０１００】
また、係止爪６０は、固定基板４４に限らず、例えばケース部４５、スラット６、ガイドレール７等、係合片３９が係合部８に係合する際に係合片３９と共に動作しない部分であればよい。
【０１０１】
また、連結部材２２を摺動させる構成として、歯車１６とラック板１８とで構成した連動部１５にて摺動を行い、略矩形状の歯１７Ａ，１７Ｂ，１９で構成させる例について述べたが、これに限定されることはない。
【０１０２】
さらに、本発明の施錠装置１０を、シャッター部材として短冊形状のスラット６に設ける例について述べたが、このシャッター部材は、複数連結されるパネル状あるいはパイプ状のシャッター部材や、一枚板状のシャッター部材としてもよく、さらにシート状、ネット状のシャッター部材における補強部分や水切部分に施錠装置１０を設ける構成でもよく、上記同様の効果を得ることができる。
【０１０３】
また、施錠装置１０の取り付けに関し、上記実施の形態ではシャッター部材としてのスラット６の両端部に取り付けているが、スラット６の少なくとも一方の端部に取り付けられていればよい。また、施錠装置１０（および係合部８）の取り付け位置は、シャッターカーテン５の閉鎖時における操作の行いやすい高さ位置に配設されているとしているが、これに限らず閉鎖時におけるシャッターカーテン５の下端部分や、同シャッターカーテン５の上方等シャッターカーテン５の移動（開閉）方向に対して、任意の位置であってもよく、さらに単一でも複数でもよい。
【０１０４】
また、上述の施錠装置１０が採用されるシャッターは、図１で示す上下に開閉するもの以外に、例えば左右横引き、水平引きなど、その他の開閉動作を行うシャッターであってもよい。
【０１０５】
【発明の効果】
以上説明したように本発明によるシャッター用施錠装置では、ガイドレール側における係合部と係合する係合片が、シャッター部材の端縁に対して進出／後退されるとともに所定方向に揺動自在とされ、この係合片が進出された際に係合部と係合し得るように所定方向に揺動させ、さらに係合片の後退の際に係合片を係合部から脱離させるとともに進出前の状態に揺動復帰させる案内手段を設けたことにより、係合片が変向するようにして係合部に係合されるため、その係合状態を、互いに十分に噛み合う構成とすることが可能となるので、施錠状態を確実なものとすることができる。
【０１０６】
さらに、係合片が係合部と係合する際に、係合片が変向されるため、係合部の位置を、ガイドレール内を移動するシャッターカーテンの移動軌跡上から遠ざけて突出干渉しないように配置することができ、シャッターカーテンを構成するスラットの端縁と係合部とが衝突するなどの不都合を回避することができるという効果が得られる。
【０１０７】
また、本発明によるシャッター用施錠装置では、シャッター部材の端縁から進出／後退される係合片が、係合部と係合した際、例えば、シャッター部材を左右幅方向に揺動する等、係合片に後退方向への外力が加えられて係合片が後退しようとした場合に、その進出状態が後退しないように抑止する係止手段を設けたことにより、シャッター部材の揺動を規制してシャッター部材の揺動方向のガタをなくすので、係合部と係合片との係合状態（施錠状態）を外すことなく確実に維持することができる。
【図面の簡単な説明】
【図１】本発明によるシャッター用施錠装置が備えられるシャッター装置の正面図。
【図２】同シャッター用施錠装置の実施の形態を示す一部裁断正面図。
【図３】同平断面図。
【図４】同一部拡大正面図。
【図５】同分解斜視図。
【図６】同分解斜視図。
【図７】（ａ）同動作を示す平断面図。
（ｂ）同動作を示す平断面図。
【図８】同動作を示す正面図。
【図９】（ａ）同動作を示す平断面図。
（ｂ）同動作を示す平断面図。
【図１０】係止片の係止動作を示す平断面図。
【図１１】係止片の係止解除動作を示す平断面図。
【図１２】他の実施の形態のシャッター用施錠装置の平断面図。
【図１３】スライド部材およびこれに係る部分の他の構成を示す斜視図。
【符号の説明】
１…シャッター装置、５…シャッターカーテン、６…シャッター部材（スラット）、６ｄ…端縁、７…ガイドレール、８…係合部、１０…施錠装置、３９…係合片、５３…案内手段（案内路）、６０…係止手段（係止爪）。
【図１】
0003837890.tif 000002
【図２】
0003837890.tif 000003
【図３】
0003837890.tif 000004
【図４】
0003837890.tif 000005
【図５】
0003837890.tif 000006
【図６】
0003837890.tif 000007
【図７】
0003837890.tif 000008
【図８】
0003837890.tif 000009
【図９】
0003837890.tif 000010
【図１０】
0003837890.tif 000011
【図１１】
0003837890.tif 000012
【図１２】
0003837890.tif 000013
【図１３】
0003837890.tif 000014